(57)【要約】      （修正有）【課題】打撃機構の部品の数を減らし、ハンマーの安静位置の調整が簡単な、時計の打撃機構を提供する。【解決手段】打撃機構は、細長状の弾性止め４を有するハンマー１と、ハンマー１の安静位置にあるときに弾性止め４を支持する偏心機構３とを有する。【選択図】図１
2016176933.tif 000002
【特許請求の範囲】
【請求項１】
細長状の弾性止め（４）を有するハンマー（１）と、
前記ハンマー（１）が安静位置にあるときに前記弾性止め（４）を支持する偏心機構（３）と
を有することを特徴とする打撃機構。
【請求項２】
前記弾性止め（４）は、前記ハンマー（１）と一体的にされている
ことを特徴とする請求項１に記載の打撃機構。
【請求項３】
前記細長状の弾性止め（４）は、前記ハンマー（１）の回転軸（１０）から延びる方向に形成される
ことを特徴とする請求項１又は２に記載の打撃機構。
【請求項４】
前記細長状の弾性止め（４）は、細長状の開口（６）に隣接して設けられている
ことを特徴とする請求項３に記載の打撃機構。
【請求項５】
前記ハンマー（１）は、回転軸（１０）を中心として回転することができるように構成しており、
前記ハンマー（１）は、打撃部分が設けられたメイン部分（１１）を有し、このメイン部分（１１）は、前記回転軸（１０）を中心として運動可能な接合部分（１２）を有し、
前記弾性止め（４）は、前記接合部分（１２）に隣接するように設けられている
ことを特徴とする請求項１〜４のいずれかに記載の打撃機構。
【請求項６】
前記接合部分（１２）に駆動ピン（５）が付加的に固定されており、
前記ハンマー（１）は、前記接合部分（１２）と前記メイン部分（１１）の間に連接接合（Ｇ）を有する
ことを特徴とする請求項５に記載の打撃機構。
【請求項７】
前記接合部分（１２）は、前記メイン部分（１１）に用いられる材料よりも弾性率が高い材料によって形成されている
ことを特徴とする請求項５又は６に記載の打撃機構。
【請求項８】
前記偏心機構（３）は、ねじ頭（３０）を有し、このねじ頭（３０）には基礎プレートの一方の側からアクセス可能である
ことを特徴とする請求項１〜７のいずれかに記載の打撃機構。
【請求項９】
前記偏心機構（３）は、前記ハンマー（１）の前記回転軸（１０）と前記ゴング（２）の間に配置されている
ことを特徴とする請求項１〜８のいずれかに記載の打撃機構。
【発明の詳細な説明】
【技術分野】
【０００１】
本発明は、時計の打撃機構に関する。
【背景技術】
【０００２】
ハンマーを備える打撃機構は、可聴音を発生させる時計用ムーブメントにおいて昔から知られている。これにおいて、ハンマーが軸を中心に回転可能なようにマウントされ、その縁には、打撃用縁部分があり、これは、あらかじめ付勢力を与えられる駆動ばねによってハンマーが回転した場合などに、環状のゴングに打撃を与える。そして、このゴングが振動することによって所望の音や音質が発生する。
【０００３】
駆動ばねに付勢力を与え、これに応じて打撃の前にハンマーの打撃用縁部分をゴングから離すために、いわゆる「てこ」を用いる。この「てこ」は、ハンマーに設けられたピンと連係し、とりわけラックを備える打撃機構によって制御される。大多数のハンマーは、例えば、ミニッツリピーター打撃機構において利用され、異なる音を発生させることができる。
【０００４】
しかし、ハンマーが安静位置にあるときにゴングに触れるのを防ぎ、これによって打撃の後にゴングを自由に振動させるために、いわゆるカウンターばねが設けられる。このカウンターばねは、一般に、駆動ばねよりも硬い材料で作られ、駆動ばねが押す方向とは反対方向に前記ピンを押す。このようにして、ゴングと打撃用縁部分の間の距離は、打撃の後にこれらの２つの部品の間に空間が常にあって望まない追加の打撃がいずれも防がれるようにカウンターばねの位置を調整することによって設定される。
【０００５】
このようなハンマーの構成を用いるミニッツリピーター打撃機構が、例えば、Reymondin, Monnier, Jeanneret, Pelaratti著の書籍「Theorie d'horlogerie」の２１９ページに記載されている。このようなリピーター打撃機構を有する伝統的な時計においては、ハンマーの止めが以下のように解放される。すなわち、回転自在にマウントされたハンマーに固定されたピンが、基礎プレートにねじ込まれたカウンターばねにおける端止めに達する。このカウンターばねには、一方の側には弾性特性を有するアーム、反対側には安定した非弾性のアームが同時に設けられている。先端がある調整ねじがこのアームを押す。ここで、この調整ねじが右に回されると、この調整ねじの先端がカウンターばねの非弾性のアームを押し、同時に、弾性アームが対応する方向にピンを介してハンマーを動かす。調整ねじが反対方向に回される場合、すなわち、ねじの先端が非弾性のアームから離れる場合、カウンターばねは、その位置にとどまる。しかし、カウンターばねの位置を変えるためには、固定用ねじを緩めなければならず、これは、針と表盤が分解されている場合にのみ可能である。
【０００６】
打撃機構用のハンマー及びカウンターばねの同様な構造が、スイス特許ＣＨ７０６１９０に記載されている。これによると、カウンターばねが表盤側からねじ込まれ、表盤からアクセス可能なピンを備える偏心機構によってカウンターばねの位置の調整が達成されている。この偏心機構は、カウンターばねの硬いリア側フランクを押して、そのスイベル軸を中心に回す。
【０００７】
これらの既知の機構の課題として、打撃機構の部品の数が非常に多く、したがって、組み立て工程数が非常に多くなってしまう。また、ハンマーの安静位置の調整が繊細であるということがある。なぜなら、カウンターばねの固定用ねじを前もって緩めなければならず、他方では、調整ねじに表盤側からのみアクセス可能であり、このことは、その後に行う修正を特に困難にするからである。
【発明の概要】
【発明が解決しようとする課題】
【０００８】
本発明の基礎を形成する目的は、これらの課題に対処することである。
【課題を解決するための手段】
【０００９】
この目的は、請求項１の前提書きに対して請求項１に記載の特徴を有するようにすることによって達成される。
【００１０】
弾性止めを有する本発明に係るハンマーの場合には、伝統的なカウンターばね及びこれに関連づけられた固定用ねじを省くことができる。したがって、この場合、打撃機構の部品の数を少なくすることができ、アセンブリーを単純化することができる。
【００１１】
本発明の有利な実施形態が、従属請求項及び以下の説明に記載されている。
【００１２】
上記のように、本発明に係るハンマーを有する打撃機構によって、その安静位置の調整を偏心機構によって行うことが可能になる。本発明の特に好ましい実施形態によれば、偏心機構は、基礎プレートの裏側からアクセス可能なねじ頭を有する。結果的に、ハンマーの安静位置を迅速に容易に修正することができる。なぜなら、このために針も表盤も分解しなくてもいいからである。
【００１３】
以下、本発明の好ましい例示的な実施形態について、添付の図面を参照しながら説明する。
【図面の簡単な説明】
【００１４】
【図１】調整可能な弾性止めを備えるハンマー及びその調整のための偏心機構の平面図である。
【図２】図１と同じ打撃機構の部品の矢状断面図である。
【発明を実施するための形態】
【００１５】
図１は、本発明の好ましい実施形態による時計用ムーブメントのハンマー１についての図を示している。この図では、安静位置にあるハンマー１を示している。この安静位置では、ハンマー１はゴング２に触れない。
【００１６】
このために、ハンマー１の外形は、弾性特性を備える要素が設けられるように構成している。このようなハンマー１の弾性要素が、偏心機構３に対向するように設けられている。この偏心機構３は、その軸を中心に回転可能であって、摩擦が発生するように穴に挿入されており、基礎プレートの裏側からアクセス可能である。偏心性があることによって、ハンマー１とゴング２の間の距離を、偏心機構３を回転させることによって小さくしたり大きくしたりすることができる。図２は、ハンマー１の安静位置の調整に関し、偏心機構３のねじ頭３０の大きい方の半径Ｒと小さい方の半径ｒが、偏心機構の軸Ａ−Ａの両側に描かれている。図１に示すねじ頭３０のねじ溝３１にねじ回しが挿入され回されると、ハンマー１がその回転軸１０を中心として所定の上方又は下方の方向に大きく動く。ハンマー１が図２に示す位置に位置している場合、すなわち、ハンマー１の調整可能な弾性止め４が偏心機構３の小さい方の半径ｒで支持されている場合、この位置からは、ハンマー１を上方にのみ大きく動かすことができる。
【００１７】
一方では、偏心機構３は、好ましくは、打撃機構以外の他の歯車列やモジュールのために基礎プレート上で可能な限り大きな空き空間を確保するように、ハンマー１の回転軸１０とゴング２の間に配置されている。この場合において、回転軸１０と偏心機構３の軸Ａ−Ａの間の距離を可能な限り小さく維持することを狙う。これによって、偏心機構３の回転に応じてスイベル角がますます大きくなって、相応して調整範囲が大きくなるようにする。
【００１８】
他方では、図１に示すように、偏心機構３のねじ溝３１は、基礎プレートの裏側からアクセス可能であり、したがって、伝統的なカウンターばねの場合には典型的であるように針と表盤を分解するのではなく、時計のケースを開くことだけによって、ハンマー１の安静位置をより迅速に容易に修正することができる。
【００１９】
図１及び２に示す本発明の好ましい実施形態によると、ハンマー１は、厚いメイン部分１１とより薄い接合部分１２との２つの部分によって形成されている。メイン部分１１には、ここにおいて打撃用縁部分１１ａである打撃用部分が形成されており、接合部分１２には、穴が設けられており、回転軸１０を中心として運動可能である。調整可能な弾性止め４は、好ましくは、接合部分１２に隣接するように設けられている。なぜなら、これによって弾性止め４がハンマー１０の回転軸１０の近くに設けられ、したがって、偏心機構３が弾性止め４と連係する際の調整範囲を広くすることができるからである。調整可能な弾性止め４は、好ましくは、この接合部分１２と一体的に形成されている。このことは、固定する工程をなくすことができ、同時に、ミリングや腐食などによる単純な製造が可能になることを意味する。これは、この部分の質量がメイン部分１１と比較して小さいことに起因している。ハンマー１の全体は、好ましくは、鋼で作られ、ハンマー１の全体は、一体的に形成される。
【００２０】
調整可能な弾性止め４は、好ましくは、先端よりも根元側が太くなっている細長状の形（needle-like shape）であり、この形によって、弾性止め４の吸収特性が最適化される。したがって、このために完全に一体的にされた種類のカウンターばねが得られ、別の部品が必要なくなる。細長状の調整可能な弾性止め４は、好ましくは、ハンマー１の回転軸１０から延びる方向に形成されており、これによって、回転軸１０ではたらくトルクが最大化される。図１の好ましい実施形態によると、細長状の調整可能な弾性止め４は、細長状の開口６に隣接して設けられている。したがって、弾性止め４の製造は単純になり有利である。なぜなら、形作られた凹部、すなわち、開口６、に隣接して弾性止め４用の所望の細長状の形を後で得るためにハンマー１から切断する材料が少しで済むからである。
【００２１】
駆動ピン５は、図１に示すように接合部分１２に固定されており、打撃機構のてこ（図示せず）と連係する。打撃動作の初めに、ハンマー１は、ゴング２から離れ、いわゆる駆動ばね（同様に図示せず）に付勢力が与えられる。最大の引き上げ位置に達した後、この駆動ばねによって加速されるハンマー１は、その安静位置まで落ちる。しかし、ハンマー１のエネルギーに起因して、ハンマー１の弾性要素、すなわち、調整可能な弾性止め４は、わずかにゆがみ、ハンマー１が一瞬ゴング２に触れることを可能にし、ゴング２が打撃用縁部分１１ａによって打たれる。この結果、ゴング２の振動が促進される。
【００２２】
ハンマー１のメイン部分１１の加速度を大きくするために、一種の連接接合Ｇが、図１において破線で示されており、この連接接合Ｇを接合部分１２とメイン部分１１の間に設けることができる。例えば、これらの間に回転する中間リンクを設けたり、メイン部分１１、３０の厚くなった区画の前に、より薄い区画が形成されたりされる。これによって、変形力が強められる。代わりに、ハンマー１のメイン部分１１の加速度を大きくするために、メイン部分に用いられる材料よりも弾性が大きい材料を接合部分１２のために選択することができる（一般的に駆動ばねよりも剛性が大きい材料で作られる伝統的なカウンターばねとは対照的である）。しかし、これらの変種のすべては、一貫して一種のカタパルト効果を得るために提案したものであり、これは、要求に応じて適応させるように改変することができる。
【００２３】
しかし、当業者は、本発明の主題が、調整可能な弾性止めのための他の変種をカバーすることを本明細書から理解するであろう。この新しい特徴によって、伝統的なカウンターばねとその固定用ねじの両方を、ハンマーに対する所望の吸収機能を阻害せずに、打撃機構において置き換えることが可能になり、回転する位置の調整及びその後の修正を単純化することができる。この調整可能な弾性止めを改変するための材料、形態及び方向などは、本発明のフレームワークから逸脱せずに、他のものを用いることが完全に可能である。したがって、詳細に説明した上記の好ましい実施形態は、単に例であって、請求の範囲を解釈する際に制限するものとして利用されるべきではない。
【符号の説明】
【００２４】
１  ハンマー
１０  ハンマーの回転軸
１１  ハンマーのメイン部分
１１ａ  打撃用縁部分
１２  接合部分
２  ゴング
３  偏心機構
３０  ねじ頭
３１  ねじ溝
４  弾性止め
５  駆動ピン
６  開口
Ａ−Ａ  偏心機構の軸
Ｇ  連接接合
Ｋ  カタパルト
ｒ  偏心機構の小さい方の半径
Ｒ  偏心機構の大きい方の半径
【図１】
2016176933.tif 000003
【図２】
2016176933.tif 000004